(57)【要約】  移動局は、移動局がソース無線アクセスネットワークからターゲット無線ネットワークへの移動局のハンドオーバ手順中にトンネルモードでオーバーヘッドメッセージを受信しているか否かを決定する。ソース無線アクセスネットワーク及びターゲット無線アクセスネットワークは異なる技術に従う。移動局がトンネルモードになっていることを決定したことに応じて、オーバーヘッドメッセージのトンネルモードの処理が実行される。移動局がトンネルモードになっていないことを決定したことに応じて、オーバーヘッドメッセージの異なる処理が実行される。
2011520333.tif 000002
【特許請求の範囲】
【請求項１】
移動局により実行される方法であって、
前記移動局が異なる種類の無線アクセスネットワークの間で前記移動局のハンドオーバ手順中にオーバーヘッドメッセージを受信するためにトンネルモードになっているか否かを決定し、
前記移動局が前記トンネルモードになっていることを決定したことに応じて、前記オーバーヘッドメッセージに関して第１の処理を実行し、
前記移動局が前記トンネルモードになっていないことを決定したことに応じて、前記オーバーヘッドメッセージに関して第２の異なる処理を実行することを有する方法。
【請求項２】
前記オーバーヘッドメッセージは、パラメータの集合に関連付けられ、
前記第１の処理を実行することは、前記集合の一部であり、トンネルモードにおいて前記オーバーヘッドメッセージで受信されないいずれかのパラメータを対応する選択された値に設定することを有する、請求項１に記載の方法。
【請求項３】
前記オーバーヘッドメッセージで受信されない前記パラメータを前記対応する選択された値に設定することは、前記オーバーヘッドメッセージで受信されない前記パラメータを初期設定値に設定することを有する、請求項２に記載の方法。
【請求項４】
前記オーバーヘッドメッセージで受信されない前記パラメータを前記対応する選択された値に設定することは、前記オーバーヘッドメッセージで受信されない前記パラメータを前記パラメータの前の値に設定することを有する、請求項２に記載の方法。
【請求項５】
前記ハンドオーバ手順は、ソース無線アクセスネットワークからターゲット無線アクセスネットワークへのものであり、
前記オーバーヘッドメッセージで受信されない前記パラメータは、前記移動局が前記ソース無線アクセスネットワークに接続されたときに割り当てられた前記パラメータの前の値に設定される、請求項４に記載の方法。
【請求項６】
前記異なる種類の無線アクセスネットワークは、ソース無線アクセスネットワークとターゲット無線アクセスネットワークとを含み、
前記方法は、
トンネルモードのときに、前記移動局が前記ターゲット無線アクセスネットワークを通じてトンネリングされた前記ソース無線アクセスネットワークに関連する前記オーバーヘッドメッセージを受信することを更に有する、請求項１に記載の方法。
【請求項７】
トンネルモードではないときに、前記移動局が前記ソース無線アクセスネットワークの基地局から無線で前記オーバーヘッドメッセージを直接受信することを更に有する、請求項６に記載の方法。
【請求項８】
EV-DOオーバーヘッドメッセージである前記オーバーヘッドメッセージを受信することを更に有する、請求項１に記載の方法。
【請求項９】
トンネルモードのときに、前記移動局がLTE（Long  Term  Evolution）アクセスネットワークを通じて前記EV-DOオーバーヘッドメッセージを受信することを更に有する、請求項８に記載の方法。
【請求項１０】
無線で通信する通信インタフェースと、プロセッサとを有する移動局であって、
前記プロセッサは、
前記移動局がソース無線アクセスネットワークからターゲット無線ネットワークへのハンドオーバ手順中にトンネルモードでオーバーヘッドメッセージを受信しているか否かを決定し、前記ソース無線アクセスネットワーク及びターゲット無線アクセスネットワークは異なる技術をサポートし、
前記移動局が前記トンネルモードになっていることを決定したことに応じて、前記オーバーヘッドメッセージのトンネルモードの処理を実行し、
前記移動局が前記トンネルモードになっていないことを決定したことに応じて、前記オーバーヘッドメッセージの異なる処理を実行する移動局。
【請求項１１】
前記ソース無線アクセスネットワークは、EV-DO（Evolution-Data  Optimized）アクセスネットワークの一部であり、前記ターゲット無線アクセスネットワークは、LTE（Long  Term  Evolution）アクセスネットワークの一部である、請求項１０に記載の移動局。
【請求項１２】
前記オーバーヘッドメッセージは、パラメータの集合に関連付けられ、
前記プロセッサは、前記集合の一部であり、トンネルモードにおいて前記オーバーヘッドメッセージで受信されないいずれかのパラメータを対応する選択された値に設定する、請求項１０に記載の移動局。
【請求項１３】
前記プロセッサは、トンネルモードのときに、前記オーバーヘッドメッセージのパラメータが最新であるか否かを示すインジケータの値を調整する、請求項１０に記載の移動局。
【請求項１４】
前記インジケータの値は、トンネルモードで前記オーバーヘッドメッセージを受信して前記オーバーヘッドメッセージを格納したことに応じて、前記オーバーヘッドメッセージの前記パラメータが最新であることを示すように前記インジケータの値を設定することにより調整される、請求項１３に記載の移動局。
【請求項１５】
前記インジケータの値は、前記トンネルモードに最初に入ったこと又は前記トンネルモードを出たことに応じて、前記オーバーヘッドメッセージの前記パラメータが最新ではないことを示すように前記インジケータの値を設定することにより調整される、請求項１４に記載の移動局。
【請求項１６】
前記オーバーヘッドメッセージは、タイマに関連付けられ、
前記タイマは、終了時に接続を失わせ、
前記プロセッサは、トンネルモードで前記オーバーヘッドメッセージを受信したことに応じて、前記タイマをリセットする、請求項１０に記載の移動局。
【請求項１７】
前記オーバーヘッドメッセージは、タイマに関連付けられ、
前記タイマは、終了時に接続を失わせ、
前記プロセッサは、前記トンネルモードのときに前記タイマを無視する、請求項１０に記載の移動局。
【請求項１８】
実行時に移動局に対して、
前記移動局がソース無線アクセスネットワークからターゲット無線ネットワークへのハンドオーバ手順中にトンネルモードでオーバーヘッドメッセージを受信しているか否かを決定させ、前記ソース無線アクセスネットワーク及びターゲット無線アクセスネットワークは異なる技術に従い、
前記移動局が前記トンネルモードになっていることを決定したことに応じて、前記オーバーヘッドメッセージのトンネルモードの処理を実行させ、
前記移動局が前記トンネルモードになっていないことを決定したことに応じて、前記オーバーヘッドメッセージの異なる処理を実行させる命令を有する少なくとも１つの機械可読記憶媒体を有する物品。
【請求項１９】
前記命令は、実行時に前記移動局に対して、
トンネルモードのときに、前記ターゲット無線アクセスネットワークを通じてトンネリングされた前記ソース無線アクセスネットワークにより送信された前記オーバーヘッドメッセージを受信させる、請求項１８に記載の物品。
【請求項２０】
前記命令は、実行時に前記移動局に対して、
トンネルモードではないときに、前記ソース無線アクセスネットワークの基地局から前記オーバーヘッドメッセージを無線で直接受信させる、請求項１９に記載の物品。
【発明の詳細な説明】
【技術分野】
【０００１】
本発明は、概してトンネルモードでの移動局のオーバーヘッドメッセージに関する実行処理に関する。
【背景技術】
【０００２】
移動局が他の移動局又は有線ネットワークに結合された有線端末と通信を実行することを可能にするために、様々な無線アクセス技術が提案又は実装されている。無線アクセス技術の例は、3GPP（Third  Generation  Partnership  Project）により規定されたGSM（Global  System  for  Mobile  communications）若しくはUMTS（Universal  Mobile  Telecommunications  System）技術、3GPP2により規定されたCDMA2000（Code  Division  Multiple  Access  2000）、又は他の無線アクセス技術を含む。無線アクセス技術のCDMA2000ファミリーは、1xRTT無線アクセス技術（一般的に回線交換通信を実行するために使用される）と、1xEV-DO（又はEV-DO）無線アクセス技術（パケットデータの通信に使用され、IS-856仕様としても知られるHRPD（High  Rate  Packet  Data）仕様により規定されている）とを含む。
【０００３】
近年、3GPP標準の更なる進展は、3GPP  LTE（Long  Term  Evolution）無線アクセス技術に導いている。LTE技術は、データ速度の改善、待ち時間の低減等を提供するためのUMTS技術の次世代の拡張である。
【発明の概要】
【発明が解決しようとする課題】
【０００４】
特定の移動局は、複数の異なる種類の無線アクセス技術をサポートすることができる。例えば、移動局は、LTE無線アクセス技術とEV-DO無線アクセス技術との双方をサポートすることができる。このような移動局は、LTE無線アクセスネットワークとEV-DO無線アクセスネットワークとの間を移動することができる。
【０００５】
異なる無線アクセスネットワークの間（LTE無線アクセスネットワークとEV-DO無線アクセスネットワークとの間等）で移動局のアクティブなハンドオーバを実行するときに、通常の標準は、ハンドオーバ処理中にアクセスネットワークから移動局に送信された特定の種類のメッセージの処理をサポートしない可能性がある。
【０００６】
概して、実施例によれば、異なる種類の無線アクセスネットワークの間で移動局のハンドオーバを可能にする技術又は機構が提供される。
【課題を解決するための手段】
【０００７】
一実施例では、移動局が異なる種類の無線アクセスネットワークの間で移動局のハンドオーバ手順中にオーバーヘッドメッセージを受信するためにトンネルモードになっているか否かが決定される。移動局がトンネルモードになっていることを決定したことに応じて、オーバーヘッドメッセージに関して第１の処理が実行される。しかし、移動局がトンネルモードになっていないことを決定したことに応じて、オーバーヘッドメッセージに関して第２の異なる処理が実行される。
【図面の簡単な説明】
【０００８】
【図１】本発明の好ましい実施例が組み込まれ得る２つの異なる種類の無線アクセスネットワークを含む例示的な通信構成のブロック図
【図２】好ましい実施例に従って２つの異なる種類の無線アクセスネットワークと通信することができるマルチモード移動局のブロック図
【図３】実施例に従ってマルチモード移動局により実行される処理のブロック図
【発明を実施するための形態】
【０００９】
他の特徴又は代替の特徴は、以下の説明、図面及び特許請求の範囲から明らかになる。
【００１０】
好ましい実施例によれば、マルチモード移動局（複数の異なる種類の無線アクセス技術をサポートすることができる移動局）が異なる種類の無線アクセスネットワークの間でアクティブなハンドオーバ（又は他の種類のハンドオーバ）を実行することを可能にする機構が提供される。異なる種類の無線アクセスネットワークの間での移動局のアクティブなハンドオーバは、移動局がトラヒック（例えば、データトラヒック、音声トラヒック、ビデオトラヒック等）を通信するために接続されたままで、ソース（ハンドオーバ元）アクセスネットワークからターゲット（ハンドオーバ先）アクセスネットワークに移動局のハンドオーバを実行することを示す。一例では、異なる種類の無線アクセスネットワークは、3GPP標準により規定されたLTE（Long  Term  Evolution）無線アクセスネットワークを含む。LTEは、UMTS（Universal  Mobile  Telecommunications  System）技術の拡張であり、3GPP  TS23.401及び23.402に記載されている。他の種類の無線アクセス技術は、CDMA2000標準により規定されているEV-DO或いは簡単に“EV”（Evolution-Data  Optimized）無線アクセス技術である。この説明では特定の無線アクセス技術に言及が行われるが、他の好ましい実施例はまた、他の種類の無線アクセス技術にも適用可能である点に留意すべきである。また、アクティブなハンドオーバに言及が行われるが、或る実施例による技術は他のハンドオーバに関しても適用可能である点に留意すべきである。例えば、或る実施例による技術は、アイドルのハンドオーバに適用可能である。
【００１１】
マルチモード移動局が第１の種類の無線アクセスネットワーク（ソース無線アクセスネットワーク）から第２の異なる種類の無線アクセスネットワーク（ターゲット無線アクセスネットワーク）にハンドオーバを実行しているときに、移動局は、移動局がターゲット無線アクセスネットワークに遷移した後に、ソース無線アクセスネットワークから特定の種類の情報を受信し続けなければならない可能性がある。このような情報の例は、移動局がソース無線アクセスネットワークのシステムにアクセスするために使用する特定の情報を提供するオーバーヘッドメッセージを含む。移動局がターゲット無線アクセスネットワークに遷移すると、ソース無線アクセスネットワークにより送信されるオーバーヘッドメッセージは、ターゲット無線アクセスネットワークを通じてトンネリングされる。好ましい実施例によれば、移動局は、このようなトンネリングされたオーバーヘッドメッセージを受信し、トンネリングされたオーバーヘッドメッセージの処理を実行することができる。
【００１２】
より具体的には、或る好ましい実施例によれば、移動局は、移動局がハンドオーバ手順中にソースアクセスネットワークからオーバーヘッドメッセージを受信することに関してトンネルモードになっているか否かを検出することができる。ハンドオーバの前に、移動局がソース無線アクセスネットワークに接続されている間に、オーバーヘッドメッセージは、ソース無線アクセスネットワークの基地局から無線で直接受信される。しかし、移動局がターゲット無線アクセスネットワークに遷移すると、オーバーヘッドメッセージは、ソース無線アクセスネットワークでもはや無線では受信されず、このようなオーバーヘッドメッセージは、ターゲット無線アクセスネットワークを通じて移動局にトンネリングされる。他の無線アクセスネットワークを通じた１つの無線アクセスネットワークからのオーバーヘッドメッセージのトンネリングは、トンネル動作モードを示す。
【００１３】
或る好ましい実施例によれば、移動局は、移動局がトンネルモードになっているか否かに応じて、オーバーヘッドメッセージに関して異なる処理を実行する。移動局がトンネルモードになっていない場合、移動局は、ソース無線アクセスネットワークの基地局から無線で直接受信したオーバーヘッドメッセージの第１の種類の処理を実行することができる。他方、移動局がトンネルモードになっている場合、移動局は、トンネリングされたオーバーヘッドメッセージの第２の異なる種類の処理を実行する。
【００１４】
図１は、LTEアクセスネットワーク120とEVアクセスネットワーク122とを含む例示的な通信構成のブロック図である。LTEアクセスネットワーク120及びEVアクセスネットワーク122の双方は、移動局100へのパケット交換サービスの提供を可能にするパケット交換サービスネットワーク144に接続されている。パケット交換サービスは、パケット交換データサービス（ウェブブラウジング、電子メール、テキストチャット等）、パケット交換音声サービス（Voice  Over  Internet  Protocol等）、又は他のパケット交換サービスを含む。移動局100は、EV無線アクセスネットワーク122又はLTE無線アクセスネットワーク120で通信を実行することができるマルチモード移動局である。このような移動局はまた、拡張アクセス端末（eAT：enhanced  access  terminal）とも呼ばれる。
【００１５】
EV又はEV-DOアクセスネットワーク又はアクセス技術への言及は、ラベル“EV”又は“EV-DO”が使用されているか否かに拘らず、CDMA2000標準により規定されたEV若しくはEV-DO技術に基づく如何なる技術又はEV若しくはEV-DO技術から進展した如何なる技術をも示す。同様に、LTEアクセスネットワーク又はアクセス技術への言及は、ラベル“LTE”が使用されているか否かに拘らず、3GPPにより規定されたLTE技術に基づく如何なる技術又はLTE技術から進展した如何なる技術をも示す。
【００１６】
EVアクセスネットワーク122は、移動局100がEVアクセスネットワーク122に接続されているときに、（例えば無線周波数又はRF信号を使用して）移動局100と無線通信を実行する基地局110を含む。次に、基地局110は、基地局110とパケット交換サービスネットワーク114との間の接続点であるパケットデータサービングノード（PDSN：packet  data  serving  node）に接続される。
【００１７】
パケット交換サービスネットワーク114は、パケット交換サービスの提供を可能にするIP（Internet  Protocol）ネットワークを含んでもよい。移動局100は、2002年6月付けの“SIP:  Session  Initiation  Protocol”という題のRFC（Request  for  Comments）3261に規定されたSIP（Session  Initiation  Protocol）を使用して通信セッションを確立してもよい。一例では、パケット交換サービスネットワーク114は、3GPPにより規定されたIPマルチメディアサブシステム（IMS：IP  multimedia  subsystem）ネットワークでもよい。IMSネットワークは、オーディオ、ビデオ、テキスト、チャット又はこれらのいずれかの組み合わせを含む、IPマルチメディアサービスの提供のための様々な制御機能を含む。
【００１８】
LTEアクセスネットワーク120は、E-UTRAN（Evolved  Universal  Terrestrial  Radio  Access  Network）102を含む。E-UTRAN120は、eNB（enhanced  NodeB）104を含む。eNB104は、LTEアクセスネットワーク120で使用される基地局と同等のものである。LTEアクセスネットワーク120はまた、MME（mobility  management  entity）108を含む。MME108は、ハンドオフ制御を含む様々な機能を実行する。LTEアクセスネットワーク120はまた、LTEアクセスネットワーク120と外部パケット交換サービスネットワーク114との間でデータパケットをルーティングするサービングゲートウェイ（serving  gateway）106を含む。
【００１９】
図１にLTEアクセスネットワーク120及びEVアクセスネットワーク122で示した構成要素は例示目的のために提供されており、他の構成も他の実装で使用されてもよい点に留意すべきである。
【００２０】
更に図１に示すように、移動局100は、EVアクセスネットワーク122からLTEアクセスネットワーク120に（又はその逆に）遷移してもよい（130）。移動局100がEVアクセスネットワーク122に接続されている場合、移動局100は、EVアクセスネットワーク122の移動局110からオーバーヘッドメッセージを無線で直接受信することができる。移動局100がEVアクセスネットワーク122とLTEアクセスネットワークとの境界の近くに移動すると、移動局100をEVアクセスネットワーク122からLTEアクセスネットワーク120に遷移させるために、ハンドオーバが実行されてもよい。ハンドオーバ手順中に、EVアクセスネットワーク122に関連するオーバーヘッドメッセージは、LTEアクセスネットワーク120を通じてトンネリングされる。
【００２１】
移動局がEVアクセスネットワーク122に接続されているときに、受信したオーバーヘッドメッセージは、EVアクセスネットワークの標準により規定されたフォーマットに従ったオーバーヘッドメッセージである。しかし、移動局がLTEアクセスネットワーク120に接続されている場合、“オーバーヘッドメッセージ”という用語は、EVオーバーヘッドパラメータを含む何らかのコンテナ（入れ物）を示し得る。コンテナは、LTEメッセージでもよく、LTEメッセージにより伝達される情報要素でもよい。トンネルモードでは、オーバーヘッドパラメータは、EVアクセスネットワーク122によりLTEアクセスネットワーク120に送信される。LTEアクセスネットワーク120は、オーバーヘッドパラメータをLTEコンテナにパッケージ化する、或いはオーバーヘッドパラメータの値でLTEメッセージの情報要素を埋める。一般的には、トンネルモードでの第１の種類の無線アクセスネットワークの“オーバーヘッドメッセージ”は、第１の種類の無線アクセスネットワークのこのようなオーバーヘッドメッセージのパラメータを伝達する第２の種類の無線アクセスネットワークにより規定されたコンテナを示してもよい。
【００２２】
図２は、マルチモード移動局100の構成要素のブロック図を示している。或る実装では、移動局100は、単一受信機の移動局であり、これは、移動局が同時に唯一の無線アクセス技術（例えば、EV又はLTEアクセス技術）を監視することができることを意味する。代替として、移動局100は、デュアル受信機の移動局でもよく、これは、移動局が同時に２つの異なる無線アクセス技術を監視できることを意味する。
【００２３】
移動局100は、ユーザが移動局と相互作用することを可能にするユーザインタフェース216を含む。また、移動局100は、記憶装置214に接続されたプロセッサ212を含む。プロセッサ212は、移動局100の様々なソフトウェアを実行し、様々な移動局のタスクを実行することができる。
【００２４】
移動局100が２つの異なる種類の無線アクセスネットワークと通信することを可能にするために、移動局100は、LTEプロトコルスタック206とEVプロトコルスタック208とを含む。EVプロトコルスタック208は、移動局100がEV無線インタフェース204でEVアクセスネットワーク122と通信することを可能にする。LTEプロトコルスタック206は、移動局100がLTEアクセスネットワーク120と無線で通信することを可能にする。移動局100のEVプロトコルスタック208及びLTEプロトコルスタック206は、移動局が無線アクセスネットワークと通信することを可能にする移動局の通信インタフェースの一部である。
【００２５】
図２に示すように、移動局がLTEアクセスネットワークに接続されている場合、EVアクセスネットワーク122の基地局110（図１）により送信された特定のオーバーヘッドメッセージがLTEアクセスネットワーク120を通じて移動局100にトンネリングされることを可能にするため、トンネルインタフェース202が確立される。移動局100のLTEプロトコルスタック206とEVプロトコルスタック208との間にパス220が提供され、適切な処理のため、トンネリングされたオーバーヘッドメッセージがLTEプロトコルスタック206を通じてEVプロトコルスタック208に通信されることを可能にする。
【００２６】
好ましい実施例によれば、移動局100は、EVアクセスネットワーク122により送信されたオーバーヘッドメッセージに関して、移動局100がトンネルモードになっているか否かに応じて異なる処理を実行する。
【００２７】
更に図２に示すように、EVプロトコルスタック208は、複数の状態を有するOMP（Overhead  Messages  Protocol）状態機械210を含む。3GPP2標準化団体により規定されたOMP（Overhead  Messages  Protocol）は、EVアクセスネットワーク122により送信されたオーバーヘッドメッセージを処理する手順を指定する。
【００２８】
OMP状態機械210は、非アクティブ状態とアクティブ状態とを少なくとも含む。非アクティブ状態では、OMP状態機械210は、アクティベートコマンドを待機する。非アクティブ状態は、移動局がアクセスネットワークを取得していない状態又は移動局がオーバーヘッドメッセージを受信する必要がない状態である。アクティベートコマンドに応じて、移動局は、非アクティブ状態からアクティブ状態に遷移する。アクティブ状態で、移動局は、アクセスネットワークにより送信されたオーバーヘッドメッセージを受信することができる。記載の例では２つの状態（非アクティブ状態及びアクティブ状態）に言及が行われるが、好ましい実施例による技術は、２つより多くの状態を有するOMP状態機械にも適用可能である点に留意すべきである。
【００２９】
好ましい実施例によれば、移動局100のEVプロトコルスタック208は、移動局がトンネルモードになっているか否かを検出することができ、これにより、オーバーヘッドメッセージの処理が実行され得る。
【００３０】
図３は、実施例に従って移動局により実行される処理のフロー図である。移動局は、アクティベートコマンドを受信する（302）。アクティベートコマンドは、移動局がアクセスネットワーク（EVアクセスネットワーク122等）を取得したときに、又は移動局がオーバーヘッドメッセージを処理しなければならないことを示す他のトリガーに応じて、移動局100内で生成されてもよい。
【００３１】
次に、移動局は、移動局がトンネルモードになっているか否かを検出する（304）。トンネルモードでは、移動局はLTEアクセスネットワーク120に接続され、LTEアクセスネットワーク120を通じたEVアクセスネットワーク122からのトンネルを通じてEVオーバーヘッドメッセージを受信しなければならない。移動局がトンネルモードになっていない場合、移動局は、OMP状態機械210のアクティブ状態に遷移し、通常のOMP動作を実行する。通常のOMP動作は、EVアクセスネットワーク122の基地局から無線で直接受信したオーバーヘッドメッセージを処理するOMP動作である。
【００３２】
しかし、移動局がトンネルモードになっていることを移動局が検出した場合、OMP状態機械210はアクティブ状態に遷移する（308）。アクティブ状態では、トンネリングされたオーバーヘッドメッセージの処理が実行される。移動局がトンネルモードになっている場合、EVオーバーヘッドメッセージに関して実行される処理は、EVアクセスネットワーク122から無線で受信したオーバーヘッドメッセージの処理と異なる。トンネルモードでは、EVオーバーヘッドメッセージの内容は、LTEコンテナで伝達される。LTEコンテナは、LTEメッセージでもよく、LTEメッセージのオーバーヘッド情報要素でもよい。従って、移動局がトンネルモードになっている場合、“オーバーヘッドメッセージ”への言及はまた、このようなコンテナをもカバーすることを意図する。LTEアクセスネットワーク120での無線インタフェースに関連する帯域の問題のため、LTEアクセスネットワーク120を通じてトンネリングされるオーバーヘッドメッセージは、無線のEVオーバーヘッドメッセージの特定のパラメータを含まない可能性がある。
【００３３】
トンネルモードでは、移動局は、オーバーヘッドパラメータを選択された値に設定する（310）。LTEコンテナで実際に受信したオーバーヘッドパラメータ値について、移動局は、オーバーヘッドパラメータをこれらの値に設定する。しかし、トンネリングされたオーバーヘッドメッセージに含まれないいずれかのオーバーヘッドパラメータは、所定の値に設定される。“所定”の値は、（移動局100に予め設定された）初期設定値でもよく、或いは、“所定”の値は、移動局がEVアクセスネットワーク122に接続したときに移動局により設定された前の値でもよい。
【００３４】
オーバーヘッドメッセージの例は、QuickConfig（Quick  Configuration）メッセージとSectorParametersメッセージとを含む。QuickConfigメッセージは、オーバーヘッドメッセージの内容における変化を示し、頻繁に変化する情報を提供するために使用される。QuickConfigメッセージは、一例として、ColorCode（EVアクセスネットワーク122のセルセクタを識別する）、Sector  Identifier（セルセクタに関連する識別子である）、SectorSignature（SectorParametersメッセージの内容が変化したことを示すために使用される）、AccessSignature（AccessParametersメッセージの内容が変化したことを示すために使用される）、Redirect（アクセスネットワークがアクセスネットワークから離れた全ての移動局にリダイレクトしている場合には“1”の値に設定される）、及び他のパラメータを含む。
【００３５】
SectorParametersメッセージは、セクタ特有の情報を移動局に伝達するために使用される。SectorParametersメッセージのパラメータの例は、Sector  Identifier（セクタの識別子）、Latitude（セクタの緯度）、Longitude（セクタの経度）等を含む。
【００３６】
AccessParamtersメッセージは、アクセスチャネル情報を移動局に伝達するために使用される。QuickConfig、SectorParameters及びAccessParametersメッセージに関する詳細は、3GPP2  C.S0024仕様にある。
【００３７】
トンネルモードで送信されたオーバーヘッドメッセージに含まれない可能性があるパラメータの例は、RecirectパラメータとSectorSignatureパラメータとAccessSignatureパラメータとを含む。これらのパラメータは、移動局100に予め設定された初期設定値に設定されてもよい。代替として、移動局が前にEVアクセスネットワーク122に接続していた場合、前の値がこのようなパラメータに設定されている。このような状況で、このようなパラメータがオーバーヘッドメッセージに含まれない場合、移動局100は、このようなパラメータを前の値に設定することができる。
【００３８】
移動局100はまた、オーバーヘッドメッセージの管理処理をも実行する（312）。QuickConfig及びSectorParametersメッセージのそれぞれは、対応する管理タイマに関連付けられる。移動局100がEVアクセスネットワーク122に接続されると、無線で受信したオーバーヘッドメッセージは、これらの管理タイマの対応するものをリセット（リスタート）させる。管理タイマの終了は、EVアクセスネットワークへの接続を失わせる。或る好ましい実施例によれば、移動局100がトンネルモードになっている場合に管理タイマについて同様の動作が提供される。従って、例えば、QuickConfigオーバーヘッドメッセージがトンネルモードで受信された場合、このようなQuickConfigメッセージの指示は、LTEプロトコルスタック206からEVプロトコルスタック208に提供され、EVプロトコルスタック208がQuickConfig管理タイマをリスタートする。同様に、移動局100がトンネルモードでSectorParametersメッセージを受信した場合、このようなメッセージの指示がLTEプロトコルスタック206からEVプロトコルスタック208に提供され、SectorParameters管理タイマがリスタートされてもよい。
【００３９】
代替実施例では、トンネルモードでのオーバーヘッドメッセージの受信に応じて管理タイマをリスタートする代わりに、EVプロトコルスタック208は、移動局100がトンネルモードになっているときに管理タイマを無視するように選択してもよい。
【００４０】
移動局100は、トンネルモードになっているときに、OverheadParameterUpToDateのパラメータのトンネルモードの制御を実行する（314）。オーバーヘッドパラメータが最新でないと考えられる場合、OverheadParameterUpToDateパラメータは値“0”に設定される。しかし、移動局100のオーバーヘッドパラメータが最新であると考えられる場合、このパラメータは値“1”に設定される。トンネルモードでは、好ましい実施例によれば、トンネルモードになっているときにオーバーヘッドパラメータが最新でないことを仮定するため、OverheadParameterUpToDateパラメータは“0”の初期設定値に設定されてもよい。しかし、移動局がトンネリングされたオーバーヘッドパラメータの情報要素を受信し、移動局がこのようなオーバーヘッドパラメータの情報要素に応じて移動局に格納されたオーバーヘッドパラメータを更新した場合、EVプロトコルスタック208は、OverheadParameterUpToDateパラメータを値“1”に設定してもよい。
【００４１】
更に、移動局がトンネルモードを出た場合（移動局がEVアクセスネットワークに移動して戻った場合を意味する）、OverheadParameterUpToDateパラメータは、値“0”に設定されてもよい。トンネルモードを出るときにOverheadParameterUpToDateパラメータを“0”に設定することは、移動局に対して、前に受信したトンネリングされたオーバーヘッドパラメータではなく、無線でのオーバーヘッドパラメータを使用させる。
【００４２】
移動局100はまた、シーケンス番号が含まれる場合には、トンネリングされたオーバーヘッドパラメータの情報要素のシーケンス番号を監視してもよい（316）。移動局100は、シーケンス番号を比較し、格納されたオーバーヘッドパラメータが最新であるか否かを決定してもよい。最新でない場合、OverheadParameterUpToDateは、値“0”に設定されてもよい。
【００４３】
前述の様々なタスクはソフトウェアにより実行されてもよい。このようなソフトウェアの命令は、プロセッサ（例えば、図２のプロセッサ212）で実行される。プロセッサは、マイクロプロセッサ、マイクロコントローラ、プロセッサモジュール若しくはサブシステム（１つ以上のマイクロプロセッサ又はマイクロコントローラを含む）、又は他の制御若しくは計算装置を含む。“プロセッサ”は、単一の構成要素を示してもよく、複数の構成要素を示してもよい。
【００４４】
（ソフトウェアの）データ及び命令は、各記憶装置に格納される。各記憶装置は、１つ以上のコンピュータ可読記憶媒体又は機械可読記憶媒体として実装される。記憶媒体は、半導体メモリ装置（ダイナミック又はスタティックランダムアクセスメモリ（DRAM又はSRAM）、消去可能及びプログラム可能読み取り専用メモリ（EPROM）、電気的消去可能及びプログラム可能読み取り専用メモリ（EEPROM）、並びにフラッシュメモリ等）と、磁気ディスク（固定のフロッピー及び取り外し可能ディスク等）と、テープを含む他の磁気媒体と、光媒体（コンパクトディスク（CD）又はデジタルビデオディスク（DVD）等）とを含み、異なる形式のメモリを含む。
【００４５】
前述の説明では、本発明の理解を提供するために、複数の詳細が示されている。しかし、本発明は、これらの詳細なしに実施され得ることが当業者によりわかる。本発明は、限られた数の実施例について開示されているが、当業者は、これらから複数の変更及び変形を思いつくであろう。特許請求の範囲は、本発明の真の要旨及び範囲内にあるこのような変更及び変形をカバーすることを意図する。
【図１】
2011520333.tif 000003
【図２】
2011520333.tif 000004
【図３】
2011520333.tif 000005
【国際調査報告】
2011520333.tif 000006
2011520333.tif 000007